(57)【要約】【課題】  本発明は、例えばビジュアライザやテレビ会議システムなどの、光学的に画角を変化させるズーム手段を有する電子撮影装置のおいて、ズーム手段による画角の変化の際に、ズーム制御に連動して自動で画像信号の圧縮率や画素数を変化させることで、操作者の手を煩わすことなく、画角を微調整しやすくする手段を提供することを目的とする。【解決手段】  このために、ズーム手段による画角の変更が生じた際に、一時的に自動圧縮率変更および自動画素数変更を行い、ズーム終了後の圧縮率および画素数を元に戻すように構成した。【選択図】  図１
2005159490.tif 000002
【特許請求の範囲】
【請求項１】
被写体を撮影して画像信号を発生する画像信号発生手段と、撮影の際に工学的に画角を変化させるズーム手段と、画像信号を任意の通信インターフェイスを介して外部装置に転送するデータ転送手段と、を備えた電子撮影装置において、
前記ズーム手段による画角の変化の際に、連動して自動でズーム中は所定の手続きにより画像信号のデータ量を減らし、外部装置における動画像のフレームレートをあげる画像信号制御手段を備えることを特徴とする、電子撮影装置。
【請求項２】
請求項１の電子撮影装置において、前記画像信号制御手段として、前記画像信号発生手段から発生した画像信号を圧縮する圧縮手段と、画像信号の圧縮率を変更する圧縮率変更手段と、前記ズーム手段と連動して自動で画像信号の圧縮率を変化させる自動圧縮率変更手段と、を備え、
ズーム中は前記自動圧縮率変更手段により、画像信号の圧縮率をあげることで画像信号のデータ量を減らし、外部装置における動画像のフレームレートをあげる制御手段を備えることを特徴とする、電子撮影装置。
【請求項３】
請求項１及び請求項２の電子撮影装置において、前記画像信号制御手段として、前記画像信号発生手段から発生する画像信号を所定の画素数に変更する画素数変更手段と、前記ズーム手段と連動して自動で画像信号の画素数を変更する自動画素数変更手段と、を備え、
ズーム中は前記自動画素数変更手段により、画像信号の画素数を減らすことで画像信号のデータ量を減らし、外部装置における動画像のフレームレートをあげる制御手段を備えることを特徴とする、電子撮影装置。
【請求項４】
請求項３の電子撮影装置において、前記画素数変更手段で画素数として、ＶＧＡ、ＣＩＦ、ＱＣＩＦを選択できることを特徴とする、電子撮影装置。
【発明の詳細な説明】
【技術分野】
【０００１】
本発明は、ビジュアライザやテレビ会議システムなどの電子撮影装置に関する。
【背景技術】
【０００２】
従来より、ズーム機能とデータ転送機能とを持つ電子撮影装置がある（特許文献１参照）。
【特許文献１】特開平０８−２５１５２１号公報
【発明の開示】
【発明が解決しようとする課題】
【０００３】
しかしながら、この種の装置において、データ転送レートには上限があるため、画素数が多く画像信号の圧縮率が低い、すなわちデータ量の多い画像を転送するとフレームレートが極端に下がり、モニターしている外部装置を見ながら細かな被写体の画角調整を行うことが困難であるという欠点があった。
【０００４】
本発明は、上記のズーム機能とデータ転送機能を有する電子撮影装置の欠点を解消する電子撮影装置を提供することを目的とする。
【課題を解決するための手段】
【０００５】
上記目的を達成するために、本発明の電子撮影装置は、被写体を撮影して画像信号を発生する画像信号発生手段と、撮影の際に工学的に画角を変化させるズーム手段と、画像信号を任意の通信インターフェイスを介して外部装置に転送するデータ転送手段と、を備えた電子撮影装置において、前記ズーム手段による画角の変化の際に、連動して自動でズーム中は所定の手続きにより画像信号のデータ量を減らし、外部装置における動画像のフレームレートをあげる画像信号制御手段を備えることを特徴とする。
【０００６】
また、さらに本発明の電子撮影装置は、前記画像信号制御手段として、前記画像信号発生手段から発生した画像信号を圧縮する圧縮手段と、画像信号の圧縮率を変更する圧縮率変更手段と、前記ズーム手段と連動して自動で画像信号の圧縮率を変化させる自動圧縮率変更手段と、を備え、ズーム中は前記自動圧縮率変更手段により、画像信号の圧縮率をあげることで画像信号のデータ量を減らし、外部装置における動画像のフレームレートをあげる制御手段を備えることを特徴とする。
【０００７】
また、さらに本発明の電子撮影装置は、前記画像信号制御手段として、前記画像信号発生手段から発生する画像信号を所定の画素数に変更する画素数変更手段と、前記ズーム手段と連動して自動で画像信号の画素数を変更する自動画素数変更手段と、を備え、ズーム中は前記自動画素数変更手段により、画像信号の画素数を減らすことで画像信号のデータ量を減らし、外部装置における動画像のフレームレートをあげる制御手段を備えることを特徴とする。
【０００８】
また、さらに本発明の電子撮影装置は、前記画素数変更手段で画素数として、ＶＧＡ、ＣＩＦ、ＱＣＩＦを選択できることを特徴とする。
【０００９】
以上のような本発明の構成によれば、ズーム手段による画角の変化の際に、ズーム制御に連動して自動で画像信号の圧縮率や画素数を変化させることで、操作者の手を煩わすことなく、画角を微調整しやすくすることができる。
【発明の効果】
【００１０】
以上説明したように本発明により、ズーム手段による画角の変化の際に、ズーム制御に連動して画像データの圧縮率や画素数を変化させることで、操作者の手を煩わせることなく、画角を微調整しやすくなった。
【発明を実施するための最良の形態】
【００１１】
以下、図面を参照して本発明の実施の形態を説明する。
【００１２】
（第１の実施形態）
図１はテレビ会議システムやビジュアライザなどの電子撮影装置の内部構造と、その制御回路の一例を示したものである。
【００１３】
１はズームレンズ、２はレンズユニット、３はＣＣＤであり、４はＣＣＤ３に蓄積された画像を信号として取り出す画像信号発生回路である。５は画像信号発生回路４から発生した画像信号を圧縮する画像信号圧縮回路であり、６は圧縮した画像データを外部装置に転送する画像データ転送回路である。７は自動圧縮率変更回路、８は自動画素数変更回路であり、９は各回路の制御やズーム開始／終了信号の受信を行うＣＰＵである。１０はズームレンズ１を制御するズーム制御回路である。
【００１４】
図２は本電子撮影装置における制御手順のフローチャートである。操作者が被写体の画角を変化させようとすると、ズーム開始信号がＣＰＵ９に入る（ステップ１１）。ズーム開始信号が入ると、ＣＰＵ９は自動圧縮率変更回路７及びズーム制御回路１０にその旨を通知し、自動圧縮率偏向回路７は、画像信号圧縮回路４から現在の圧縮率を取得し（ステップ１２）、ズーム時に用いる圧縮率を画像信号圧縮回路４に通知する（ステップ１３）。また、ズーム制御回路１０は命令に従いズームレンズ１の駆動を行う。その後、ＣＰＵ９がズーム終了信号を受信するまで（ステップ１７）、画像信号圧縮回路４にて被写体を撮影して画像信号を発生し（ステップ１４）、画像信号圧縮回路４にて画像信号を圧縮して（ステップ１５）、画像データ転送回路５にて画像データを転送する（ステップ１６）制御が繰り返される。ズーム終了信号をＣＰＵ９が受信すると、自動圧縮率変更回路７及びズーム制御回路１０にその旨を通知し、自動圧縮率変更回路７は画像信号の圧縮率を元に戻す（ステップ１８）。また、ズーム制御回路はズームレンズ１の駆動を停止して制御を終了する。
【００１５】
（第２の実施形態）
図３は本実施形態の電子撮影装置おける制御手順のフローチャートである。操作者が被写体の画角を変化させようとすると、ズーム開始信号がＣＰＵ９に入る（ステップ２１）。ズーム開始信号が入ると、ＣＰＵ９は自動画素数変更回路８及びズーム制御回路１０にその旨を通知し、自動画素数変更回路８は、画像信号発生回路３から現在の画素数を取得し（ステップ２２）、ズーム時に用いる画素数を画像信号発生回路４に通知する（ステップ２３）。また、ズーム制御回路１０は命令に従いズーム駆動を行う。その後、ＣＰＵ９がズーム終了信号を受信するまで（ステップ２７）、画像信号発生回路４にて画像信号を圧縮して（ステップ２５）、画像データ転送回路５にて画像データを転送する（ステップ２６）制御が繰り返される。ズーム終了信号をＣＰＵ８が受信すると、自動圧縮率変更回路６及びズーム制御回路９にその旨を通知し、自動圧縮率変更回路６は画像信号の圧縮率を元に戻す（ステップ２８）。また、ズーム制御回路はズーム駆動を停止して制御を終了する。
【００１６】
（第３の実施形態）
図３の本電子撮影装置における制御手順のフローチャートにおいて、自動圧縮率変更回路による圧縮率の変更（ステップ１２、ステップ１３）と自動画素数変更回路による画素数の変更（ステップ２２、ステップ２３）を組み合わせても良い。
【図面の簡単な説明】
【００１７】
【図１】電子撮影装置の内部構造とその制御回路の一例である。
【図２】本電子撮影装置における制御手順のフローチャートである。
【図３】本電子撮影装置における制御手順のフローチャートである。
【符号の説明】
【００１８】
１  ズームレンズ
２  レンズ
３  ＣＣＤ
４  画像信号発生回路
５  画像信号圧縮回路
６  画像データ転送回路
７  自動圧縮率変更回路
８  自動画素数変更回路
９  ＣＰＵ
１０  ズーム制御回路
【図１】
2005159490.tif 000003
【図２】
2005159490.tif 000004
【図３】
2005159490.tif 000005